(57)【要約】【課題】  発光色の異なる光源と接続する電線数を削減可能な調光器およびこの調光器を具備する照明装置を提供する。【解決手段】  調光器２は、交流電源Ｖｓに接続される第１の入力部１３および第２の入力部１４を有する電源入力部７と、第１の入力部１３に直接的に接続された第１の出力部１５および複数の第２の出力部１６，１７を有する電源出力部８と、第２の入力部１４と複数の第２の出力部１６，１７とを接続する配線１９，２０、２１，２２にそれぞれ介挿された複数の位相制御回路９，１０と、第１の出力部２３と複数の第２の出力部１６，１７との間にそれぞれ接続される各光源３，４に対する調光信号を外部から入力する調光信号入力部１１と、調光信号入力部１１に入力した調光信号に応じて、各光源３，４の調光レベルを変化させるように位相制御回路９，１０をそれぞれ制御する制御回路１２と、を具備している。【選択図】図１
2014067552.tif 000002
【特許請求の範囲】
【請求項１】
交流電源に接続される第１の入力部および第２の入力部を有する電源入力部と；
前記第１の入力部に直接的に接続された第１の出力部および複数の第２の出力部を有する電源出力部と；
前記第２の入力部と前記複数の第２の出力部とを接続する配線にそれぞれ介挿された複数の位相制御回路と；
前記第１の出力部と前記複数の第２の出力部との間にそれぞれ接続される各光源に対する調光信号を外部から入力する調光信号入力部と；
この調光信号入力部に入力した調光信号に応じて、前記各光源の調光レベルを変化させるように前記位相制御回路をそれぞれ制御する制御回路と；
を具備していることを特徴とする調光器。
【請求項２】
請求項１記載の調光器と；
この調光器の前記第１の出力部と前記複数の第２の出力部との間にそれぞれ接続され、異なる光色を放射する複数の光源と；；
この光源を配設している装置本体と；
を具備していることを特徴とする照明装置。
【発明の詳細な説明】
【技術分野】
【０００１】
本発明の実施形態は、交流電源を位相制御する調光器およびこの調光器により光源が調光制御される照明装置に関する。
【背景技術】
【０００２】
異なる発光色を放射するＬＥＤ素子を具備し、この各ＬＥＤ素子からの放射光を混色して所望の光色に変化させて、照明の演出を行う照明器具が提供されている。この照明器具には、位相制御式調光器から位相制御された調光信号を入力し、調光信号に応じて発光色の異なる複数のＬＥＤ素子の調光比率が制御されているものがある。
【０００３】
例えば、赤色光を放射する赤色ＬＥＤアレイと、緑色光を放射する緑色ＬＥＤアレイと、青色光を放射する青色ＬＥＤアレイとがＬＥＤ駆動回路に並列的に接続され、ＬＥＤ駆動回路が各ＬＥＤアレイに流す電流を調整することにより、照明器具の調光および調色を行っているものがある（例えば特許文献１参照。）。各ＬＥＤアレイのそれぞれの一端側は、ＬＥＤ駆動回路の共通出力端子に接続され、各ＬＥＤアレイのそれぞれの他端側は、ＬＥＤ駆動回路の個別の出力端子にそれぞれ接続されている。
【０００４】
しかしながら、ＬＥＤ駆動回路は、調光信号に応じて各ＬＥＤアレイに流す電流値を制御するので、照明器具は、調光信号に対して各ＬＥＤアレイの調光率が予め設定された調光率に設定され、所望の調色が限定されている。すなわち、異なる発光色の光を任意に混色し、任意な照明演出ができる照明器具が望まれる。
【０００５】
現今、異なる発光色の光を任意に混色するためには、異なる発光色を放射するＬＥＤ素子は、個別の調光器（ＬＥＤ駆動回路）に接続されている。すなわち、調光器に各ＬＥＤ素子に接続する一対の出力端子がそれぞれ設けられ、この一対の出力端子とＬＥＤ素子とが２本の電線により接続されている。
【先行技術文献】
【特許文献】
【０００６】
【特許文献１】特開２０１２−１３４００１号公報（第７頁、第１図）
【発明の概要】
【発明が解決しようとする課題】
【０００７】
調光器は、異なる発光色を放射するＬＥＤ素子に、それぞれ２本の電線で接続されるので、異なる発光色のＬＥＤ素子が多くなるほど、電線数が多くなる。これにより、調光器とＬＥＤ素子を接続する配線に手間を要し、照明装置がコストアップするという欠点を有する。
【０００８】
本発明の実施形態は、発光色の異なる光源と接続する電線数を削減可能な調光器およびこの調光器を具備する照明装置を提供することを目的とする。
【課題を解決するための手段】
【０００９】
実施形態の調光器は、電源入力部、電源出力部、位相制御回路、調光信号入力部および制御回路を有して構成される。
【００１０】
電源入力部は、交流電源に接続される第１の入力部と、第２の入力部とを有してなり、電源出力部は、第１の入力部に直接的に接続された第１の出力部と、複数の第２の出力部とを有してなる。
【００１１】
位相制御回路は、第２の入力部と複数の第２の出力部とをそれぞれ接続する複数の配線にそれぞれ介挿される。
【００１２】
調光信号入力部は、第１の出力部と複数の第２の出力部との間にそれぞれ接続される各光源に対する調光信号を外部から入力する。
【００１３】
制御回路は、調光信号入力部に入力した調光信号に応じて、各光源の調光レベルを変化させるように位相制御回路をそれぞれ制御する。
【発明の効果】
【００１４】
本発明の実施形態によれば、第１の入力部に直接的に接続された第１の出力部と、第２の入力部との間に位相制御回路がそれぞれ介挿された複数の第２の出力部との間にそれぞれ光源が接続されるので、複数の光源は、第１の出力部に共通線で接続することができ、これにより、調光器と光源とを接続する電線の本数を削減できることが期待できる。
【図面の簡単な説明】
【００１５】
【図１】本発明の第１の実施形態を示す照明装置の概略ブロック図である。
【図２】同上、調光器の概略回路図である。
【図３】同上、調光器での入出力を示す波形図である。
【図４】同上、調光器の制御回路の制御を示すフロー図である。
【図５】同上、照明器具の概略側断面図である。
【図６】同上、調光操作器の概略ブロック図である。
【図７】本発明の第２の実施形態を示す照明装置の概略側断面図である。
【発明を実施するための形態】
【００１６】
以下、本発明の一実施の形態について、図面を参照して説明する。まず、本発明の第１の実施形態について説明する。
【００１７】
本実施形態の照明装置１は、図１に示すように、調光器２、第１および第２の光源３，４および電線群５を有して構成されている。第１および第２の光源３，４は、照明器具６に配設されている。
【００１８】
調光器２は、電源入力部７、電源出力部８、位相制御回路９，１０、調光信号入力部１１および制御回路１２を有して形成されている。電源入力部７は、第１の入力部としてのアース側入力端子１３および第２の入力部としてのホット側入力端子１４を有してなる。アース側入力端子１３およびホット側入力端子１４は、商用交流電源Ｖｓに接続され、交流電圧（ＡＣ１００Ｖ）を入力する。
【００１９】
電源出力部８は、第１の出力部としてのアース側出力端子１５および複数の第２の出力部としてのホット側出力端子１６，１７を有してなる。ホット側出力端子１６，１７は、光源としての第１および第２の光源３，４に対応して設けられている。アース側出力端子１５は、配線１８により、アース側入力端子１３に直接的に接続されている。ホット側出力端子１６は、配線１９，２０により、位相制御回路９を介してホット側入力端子１４に接続されている。また、ホット側出力端子１７は、配線２１，２２により、位相制御回路１０を介してホット側入力端子１４に接続されている。
【００２０】
そして、電源出力部８に電線群５により第１および第２の光源３，４が接続されている。すなわち、アース側出力端子１５およびホット側出力端子１６にそれぞれ接続されたアース側電線２３およびホット側電線２４が第１の光源３に接続され、アース側出力端子１５およびホット側出力端子１７にそれぞれ接続されたアース側電線２３およびホット側電線２５が第２の光源４に接続されている。
【００２１】
位相制御回路９，１０は、ホット側入力端子１４およびホット側出力端子１６，１７の間にそれぞれ介挿されて、ホット側入力端子１４およびホット側出力端子１６，１７にそれぞれ接続されている。すなわち、位相制御回路９は、配線１９，２０に接続され、配線１９，２０によりホット側入力端子１４およびホット側出力端子１６に接続されている。また、位相制御回路１０は、配線２１，２２に接続され、配線２１，２２によりホット側入力端子１４およびホット側出力端子１７に接続されている。
【００２２】
位相制御回路９，１０は、商用交流電源Ｖｓの交流電圧をそれぞれ位相制御する。そして、位相制御回路９により位相制御された電圧がアース側出力端子１５およびホット側出力端子１６間に出力され、位相制御回路１０により位相制御された電圧がアース側出力端子１５およびホット側出力端子１７間に出力される。すなわち、位相制御回路９により位相制御された電圧が第１の光源３に入力され、相制御回路１０により位相制御された電圧が第２の光源４に入力される。
【００２３】
調光信号入力部１１は、調光信号入力端子２６，２７を有してなる。調光信号入力端子２６，２７は、外部の調光操作器２８に接続され、調光操作器２８から調光信号を入力する。調光信号は、第１および第２の光源３，４のそれぞれの調光レベルを設定するものであり、制御回路１２に入力される。
【００２４】
制御回路１２は、調光信号に応じて位相制御回路９，１０をそれぞれ制御するように形成されている。すなわち、制御回路１２は、調光信号に応じて第１および第２の光源３，４の調光レベル（調光率）が変化するように、調光信号に応じた制御信号を位相制御回路９，１０にそれぞれ出力する。
【００２５】
以下、図２ないし図４を用いて、位相制御回路９，１０および制御回路１２について詳述する。
【００２６】
図2において、位相制御回路９は、配線１９，２０に接続されたトライアックＴＲ1、トライアックＴＲ１の両端に抵抗Ｒ１，Ｒ２を介して接続された整流器ＤＢ１および整流器ＤＢ１の出力間に接続されたフォトカプラＰＣ１を有してなる。そして、トライアックＴＲ1のゲートが整流器ＤＢ１の正極側入力端子に接続されている。整流器ＤＢ１の出力間は、フォトカプラＰＣ１のトランジスタＱ１に接続されている。フォトカプラＰＣ１のダイオードＤ１のアノード側は、マイコン３１に接続されている。
【００２７】
位相制御回路１０は、配線２１，２２に接続されたトライアックＴＲ２、トライアックＴＲ２の両端に抵抗Ｒ３，Ｒ４を介して接続された整流器ＤＢ２および整流器ＤＢ２の出力間に接続されたフォトカプラＰＣ２を有してなる。そして、トライアックＴＲ２のゲートが整流器ＤＢ２の正極側入力端子に接続されている。整流器ＤＢ２の出力間は、フォトカプラＰＣ２のトランジスタＱ２に接続されている。フォトカプラＰＣ２のダイオードＤ２のアノード側は、マイコン３１に接続されている。
【００２８】
制御回路１２は、整流器ＤＢ３、定電圧源３０、フォトカプラＰＣ３およびマイコン３１を有して形成されている。整流器ＤＢ３は、その交流入力側がアース側入力端子１３およびホット側入力端子１４に接続され、直流出力側が抵抗Ｒ５，Ｒ６を介してフォトカプラＰＣ３のダイオードＤ３に接続されている。フォトカプラＰＣ３のトランジスタＱ３は、そのコレクタに抵抗Ｒ７を介して定電圧源３０が接続されている。また、トランジスタＱ３のコレクタ（接続点Ｂ）は、マイコン３１の入力端子に接続されている。トランジスタＱ３のエミッタは、フォトカプラＰＣ１，ＰＣ２のダイオードＤ１，Ｄ２のそれぞれのカソード側に接続されている。
【００２９】
定電圧源３０は、定電圧例えばＤＣ５Ｖを出力している。整流器ＤＢ３は、商用交流電源Ｖｓの交流電圧を全波整流し、その全波整流電圧を抵抗Ｒ５，Ｒ６を介してフォトカプラＰＣ３のダイオードＤ３の両端に印加する。そしてダイオードＤ３の両端電圧がダイオードＤ３のＶｆを下回った時、フォトカプラＰＣ３のトランジスタＱ３がオフし、マイコン３１の入力は、抵抗Ｒ７と定電圧源３０によってハイ（Ｈ）となる。全波整流電圧が上昇してダイオードＤ３の両端電圧がＶｆを上回ると、フォトカプラＰＣ３のトランジスタＱ３は、オンし、これによって、マイコン３１の入力は、ＧＮＤ電位に引き下げられてロウ（Ｌ）になる。すなわち、フォトカプラＰＣ３は、商用交流電源Ｖｓのゼロクロスを検出する。この交流電圧のゼロクロス時に、図3（ｂ）に示すようにパルス電圧が発生する。このパルス電圧がマイコン３１に入力する。図3（ａ）は、図2中、Ａ点における交流電圧、すなわち位相制御回路９，１０にそれぞれ入力している交流電圧の正弦波形を示している。
【００３０】
図２において、マイコン３１は、その入力側が調光入力端子２６，２７に接続されており、調光操作器２８からの調光信号を入力する。また、マイコン３１は、その出力側が位相制御回路９のフォトカプラＰＣ１のダイオードＤ１のアノードと、位相制御回路１０のフォトカプラＰＣ２のダイオードＤ２のアノードとにそれぞれ接続されている。マイコン３１は、図3（ｃ）に示すように、調光信号に応じた立ち上りタイミングを有する矩形状の制御信号を生成し、図3（ｂ）に示すパルス電圧に同期して、当該制御信号を出力する。図3（ｃ）に示す制御電圧は、フォトカプラＰＣ１のダイオードＤ１のアノード（フォトカプラＰＣ２のダイオードＤ２のアノード）に印加される図2中Ｃ点における電圧波形である。
【００３１】
制御信号が位相制御回路９のフォトカプラＰＣ１のダイオードＤ１のアノードに印加されると、ハイ（Ｈ）の制御信号によってフォトカプラＰＣ１のトランジスタＱ１がオンし、このトランジスタＱ１のオンによって整流器ＤＢ１の直流出力側がオンになり、入力交流側に電流が流れて、トライアックＴＲ１のゲートにオン電圧が発生し、トライアックＴＲ１がオンになる。このトライアックＴＲ１のオン状態は、商用交流電源Ｖｓの電圧が０Ｖに低下した時点（ゼロクロス時点に相当）でリセットされてオフになる。トライアックＴＲ1がオンしているときに、商用交流電源Ｖｓの交流電圧がアース側出力端子１５およびホット側出力端子１６間に発生し、トライアックＴＲ1がオフすると、アース側出力端子１５およびホット側出力端子１６間に交流電圧が発生しなくなる。すなわち、アース側出力端子１５およびホット側出力端子１６間（図２中、Ｄ点）には、制御信号のオン時点から交流電圧のゼロクロス時点までの期間に亘って交流電圧が発生し、図3（ｄ）に示すように、位相制御された交流電圧（導通角が制御された位相制御電圧）が発生する。
【００３２】
また、制御信号が位相制御回路１０のフォトカプラＰＣ２のダイオードＤ２のアノードに出力されると、上記と同様に、アース側出力端子１５およびホット側出力端子１７間に、位相制御された交流電圧が発生する。
【００３３】
図４は、マイコン３１の制御を示したものである。マイコン３１は、調光操作器２８から出力された調光信号を入力する（ステップＳ１）と、当該調光信号が第１の光源３に対するものか、第２の光源４に対するものかの判別をする（ステップＳ２）。そして、調光信号から第１の光源３または第２の光源４の調光レベル（調光率）を演算する（ステップＳ３）。
【００３４】
そして、電源入力部７に入力する商用交流電源Ｖｓの交流電圧の半周期の時間に調光率を乗じてオン幅を演算し、オン幅を有する矩形状の制御信号を生成する（ステップＳ４）。制御信号は、トランジスタＱ３がオフ動作することにより入力したパルス電圧に同期させて、位相制御回路９または位相制御回路１０に出力される（ステップＳ５）。以下、上述を繰り返す。そして、第１の光源３または第２の光源４に対する調光レベル（調光率）が変更されるまで、同一の制御信号が出力される。
【００３５】
上述のように形成された調光器２は、図１に示すように、電線群５により第１の光源３および第２の光源４に接続されている。電線群５は、例えば、アース側電線２３および複数本（２本）のホット側電線２４，２５を有する電源ケーブルである。第１の光源３は、アース側電線２３およびホット側電線２４により，調光器２のアース側出力端子１５およびホット側出力端子１６に接続され、位相制御回路９により位相制御された位相制御電圧を入力する。また、第２の光源４は、アース側電線２３およびホット側電線２５により，調光器２のアース側出力端子１５およびホット側出力端子１７に接続され、位相制御回路１０により位相制御された位相制御電圧を入力する。
【００３６】
第１および第２の光源３，４は、図５に示すように、照明器具６に取り付けられている。照明器具６は、天井３２に吊下げられる吊り下げ型照明器具であり、器具本体３３、ソケット３４，３４、光源としての第１および第２の光源３，４を有して構成されている。
【００３７】
器具本体３３は、例えば厚さ１．５〜３ｍｍのアルミニウム（Ａｌ）からなり、有底の円筒状に形成されている。器具本体３３の外周面３３ａおよび内周面３３ｂには、図示しない化粧用の塗膜などが形成されている。器具本体３３は、その奥側の内周面３３ｂに、底の浅い円筒状に形成された固定体３５が内嵌されて取り付けられている。固定体３５は、外周面３３ａ側から図示しないねじにより固定されている。
【００３８】
そして、固定体３５に、ソケット取付台３６，３６を介してソケット３４，３４が取り付けられている。２個のソケット取付台３６は、図示しないねじにより、固定体３５に取り付けられている。ソケット３４は、ソケット取付台３６に符号を付さないねじにより取り付けられている。
【００３９】
また、器具本体３３は、その底板３７の中央部に形成された図示しない貫通孔に支持管３８が挿通され、支持管３８の先端側の外周面３８ａに形成された図示しないねじ部に螺着されたナット３９，３９により、底板３７が締め付けられている。そして、支持管３８は、一体に設けられた取付板４０が図示しないねじにより天井３２に固定されている。これにより、器具本体３３は、天井３２に吊り下げられている。
【００４０】
また、器具本体３３の天板３７には、電線群５を挿通する図示しない挿通孔が形成されている。当該挿通孔に絶縁ブッシング４１が設けられて電線群５が挿通されている。そして、電線群５のアース側電線２３およびホット側電線２４が一方のソケット３４に接続され、アース側電線２３に接続された渡り線４２およびホット側電線２５が他方のソケット３４に接続されている。
【００４１】
ソケット３４は、外形が円柱状に形成され、第１および第２の光源３，４の口金の雄ねじ部が螺合して電気接続される雌ねじ部を有する図示しない受金と、前記口金の頂上接続部が当接して電気接続される図示しない接片とを収納している。そして、一方のソケット３４において、受金および接片に電線群５のアース側電線２３およびホット側電線２４が接続され、他方のソケット３４において、受金および接片にアース側電線２３に接続された渡り線４２およびホット側電線２５が接続されている。そして、一方のソケット３４に第１の光源３が取り付けられ、他方のソケット３４に第２の光源４が取り付けられている。
【００４２】
第１および第２の光源３，４は、それぞれＥ形口金を有する電球形ＬＥＤランプであり、互いに異なる光色を放射するものである。電球形ＬＥＤランプ３，４は、それぞれ基板にＬＥＤが実装された不図示のＬＥＤモジュールおよびＬＥＤを調光点灯する不図示の点灯装置を配設している。点灯装置は、Ｅ形口金の雄ねじ部および頂上接続部の間に調光器２から出力された位相制御電圧が入力すると、当該位相制御電圧に応じて、ＬＥＤモジュールのＬＥＤを調光点灯するように形成されている。
【００４３】
そして、電球形ＬＥＤランプ３は、そのＬＥＤモジュールが電球色の色光を放射するように形成され、電球形ＬＥＤランプ４は、そのＬＥＤモジュールが白色の色光を放射するように形成されている。電球形ＬＥＤランプ３から放射された電球色の色光および電球形ＬＥＤランプ４から放射された白色の色光は、それぞれ器具本体３３の開口３３ｃから外部空間に出射され、混合して外部空間を照明する。そして、電球形ＬＥＤランプ３，４のそれぞれの調光レベル（調光率）が変化されることにより、照明光の明るさや色調が変化されるものである。電球形ＬＥＤランプ３，４のそれぞれの調光レベル（調光率）は、調光操作器２８での操作により変化される。
【００４４】
調光操作器２８は、図６に示すように、制御部４３、この制御部４３に接続された可変抵抗ＶＲ１，ＶＲ２、出力部４４および電源部４５を有して形成されている。可変抵抗ＶＲ１，ＶＲ２は、手動操作されるつまみやフェーダに接続されて、その抵抗値が変化される。可変抵抗ＶＲ１は、第１の光源３に対応し、可変抵抗ＶＲ２は、第２の光源４に対応している。
【００４５】
制御部４３は、可変抵抗ＶＲ１の抵抗値に応じて、第１の光源３を調光点灯する調光率を演算し、調光信号を生成する。また、制御部４３は、可変抵抗ＶＲ２の抵抗値に応じて、第２の光源４を調光点灯する調光率を演算し、調光信号を生成する。
【００４６】
そして、出力部４４は、制御部４３で生成された調光信号を出力端子４６ａ，４６ｂに接続された図示しない伝送線に出力するように形成されている。調光信号は、伝送線が接続される調光器２の調光信号入力端子２６，２７に入力される。電源部４５は、所定の直流電源を生成して、動作電源として制御部４３および出力部４４に供給するように形成されている。
【００４７】
次に、本発明の第１の実施形態の作用について述べる。
【００４８】
調光器２は、アース側入力端子１３とアース側出力端子１５とが１本の配線１８で直接的に接続され、ホット側入力端子１４と複数のホット側出力端子１６，１７との間にそれぞれ位相制御回路９，１０が介挿されていることにより、位相制御回路９，１０により交流電圧を位相制御した電圧がアース側出力端子１５およびホット側出力端子１６と、アース側出力端子１５およびホット側出力端子１７との間にそれぞれ出力する。
【００４９】
そして、アース側出力端子１５およびホット側出力端子１６，１７の間に出力される位相制御電圧は、調光操作器２８から出力された調光信号に応じて、制御回路１２によりそれぞれ制御される。これにより、アース側出力端子１５およびホット側出力端子１６に接続される第１の光源３と、アース側出力端子１５およびホット側出力端子１７に接続される第２の光源４は、調光操作器２８での手動操作により、それぞれ任意の調光レベル（調光率）で点灯される。
【００５０】
第１の光源３から放射される電球色の色光と、第２の光源４から放射される白色の色光とが任意の光束および割合で混合(混色)する。これにより、照明空間での照明の演出の効果が高められる。
【００５１】
そして、第１の光源３が取り付けられる一方のソケット３４は、アース側電線２３およびホット側電線２４がそれぞれ調光器２のアース側出力端子１５およびホット側出力端子１６に接続され、第２の光源４が取り付けられる他方のソケット３４は、アース側電線２３およびホット側電線２５がそれぞれ調光器２のアース側出力端子１５およびホット側出力端子１７に接続されている。ここで、一方のソケット３４と他方のソケット３４との間を、アース側電線２３に接続された渡り線４２により接続することにより、アース側電線２３を１本とすることができる。これにより、電線群５の電線本数を削減することができる。
【００５２】
本実施形態の調光器２によれば、アース側入力端子１３に１本の配線１８により直接的に接続されたアース側出力端子１５と、ホット側入力端子１４との間に位相制御回路９，１０がそれぞれ介挿された複数のホット側出力端子１６，１７とを備え、アース側出力端子１５とホット側出力端子１６，１７との間にそれぞれ交流電圧を位相制御した位相制御電圧が出力されるので、アース側出力端子１５とホット側出力端子１６，１７との間にそれぞれ接続される複数の第１および第２の光源３，４をそれぞれ任意の調光レベルで点灯させることができて、照明効果を多様に演出できるとともに、簡素な構成により安価に形成できるという効果を有する。
【００５３】
また、本実施形態の照明装置１によれば、調光器２のアース側出力端子１５と複数のホット側出力端子１６，１７との間にそれぞれ接続される複数のソケット３４，３４（第１および第２の光源３，４）は、ソケット３４，３４間をアース側電線２３に接続された渡り線４２により接続することにより、アース側出力端子１５に接続されるアース側電線２３を１本とすることができるので、電線群５を１本のアース側電線２３と、複数本のホット側電線２４，２５とにすることができて、電線群５の電線本数を削減することができ、これにより、調光器２と、ソケット３４，３４（第１および第２の光源３，４）との接続を簡素にかつ容易にできるという効果を有する。
【００５４】
なお、本実施形態において、調光器２の電源出力部８は、ホット側出力端子１６，１７の２個に設けているが、同様な構成により３個以上のホット側出力端子を設けてもよい。
【００５５】
また、電源入力部７、電源出力部８および調光信号入力部１１は、それぞれ端子に形成したが、これに限らず、例えばコネクタであってもよい。
【００５６】
また、照明器具６は、吊り下げ形に構成したが、これに限らず、ダウンライトなどの埋め込み形や直付け形の照明器具であってもよい。
【００５７】
次に、本発明の第２の実施形態について説明する。
【００５８】
本実施形態の照明装置５１は、図７に示すように構成される。なお、図７において、図１、図５および図６と同一部分には、同一符号を付して説明は省略する。
【００５９】
照明装置５１は、図１に示す調光器２、光源としての第１および第２の光源３，４、照明器具５２および図６に示す調光操作器２８を有して構成されている。
【００６０】
照明器具５２は、図５に照明器具６において、固定体３５に調光器２を配設している。調光器２の不図示の調光信号入力部１１には、調光操作器２８に接続されている伝送ケーブル５３が接続されている。また、天井３２の裏側から支持管３８に導入された電源ケーブル５４が器具本体３３内に引き込まれて、調光器２の不図示の電源入力部７に接続されている。電源ケーブル５４は、商用交流電源Ｖｓに接続されている。照明器具５２のその他の構成は、図５に示す照明器具６と同様である。ここで、器具本体３３は、本実施形態の装置本体を構成している。
【００６１】
第１の光源３が取り付けられた一方のソケット３４には、調光器２から導出されたアース側出力線２３およびホット側電線２４が接続されている。また、第２の光源４が取り付けられた他方のソケット３４には、アース側出力線２３に接続された渡り線４２およびホット側電線２５が接続されている。
【００６２】
調光操作器２８には、フェーダ５５ａ，５５ｂが設けられている。フェーダ５５ａは、その直線上の移動により、可変抵抗ＶＲ１の抵抗値を変化させる。また、フェーダ５５ｂは、その直線上の移動により、可変抵抗ＶＲ２の抵抗値を変化させる。すなわち、フェーダ５５ａの移動操作により、第１の光源３の調光レベル（調光率）が変化され、フェーダ５５ｂの移動操作により、第２の光源４の調光レベル（調光率）が変化される。
【００６３】
第１および第２の光源３，４がそれぞれ任意の調光レベル（調光率）で点灯されることにより、第１の光源３から放射される電球色の色光と、第２の光源４から放射される白色の色光とが任意の光束および割合で混合(混色)する。これにより、照明空間での演出の効果が高められる。
【００６４】
本実施形態の照明装置５１によれば、調光器２から導出された１本のアース側電線２３と、複数本のホット側電線２４，２５は、第１および第２の光源３，４が取り付けられるソケット３４，３４間をアース側電線２３に接続された渡り線４２により接続することにより、ソケット３４，３４に接続することができるので、調光器２とソケット３４，３４との接続（配線）を簡素にかつ容易にできるという効果を有する。
【００６５】
なお、本実施形態において、調光器２は、器具本体３３内に配設したが、器具本体３３の外側に設置するようにしてもよい。
【符号の説明】
【００６６】
１，５１…照明装置、  ２…調光器、  ３…光源としての第１の光源、  ４…光源としての第２の光源、  ７…電源入力部、  ８…電源出力部、  ９，１０…位相制御回路、  １１…調光信号入力部、  １２…制御回路、  １３…第１の入力部としてのアース側入力端子、  １４…第２の入力部としてのホット側入力端子、  １５…第１の出力部としてのアース側出力端子、  １６，１７…第２の出力部としてのホット側出力端子、  １９，２０，２１，２２…配線、  ３３…装置本体としての器具本体
【図１】
2014067552.tif 000003
【図２】
2014067552.tif 000004
【図３】
2014067552.tif 000005
【図４】
2014067552.tif 000006
【図５】
2014067552.tif 000007
【図６】
2014067552.tif 000008
【図７】
2014067552.tif 000009